(57)【要約】【課題】  複数のヒストリー波形を同一の動画ファイルで保存することにより、異常波形の前後の様子を、外付けテレビモニタを使用しなくても簡単に把握できる波形表示装置を提供する。【解決手段】  測定により得られた波形データをヒストリーメモリに記憶していき、再生表示時には前記波形データを表示手段に表示する波形表示装置において、  前記ヒストリーメモリに記憶された波形データから動画ファイルを作成して前記表示手段に表示する。  【選択図】                    図１
2006308317.tif 000002
【特許請求の範囲】
【請求項１】
測定により得られた波形データをヒストリーメモリに記憶していき、再生表示時には前記波形データを表示手段に表示する波形表示装置において、
前記ヒストリーメモリに記憶された波形データから動画ファイルを作成して前記表示手段に表示する波形表示装置。
【請求項２】
測定により得られた波形データをヒストリーメモリに記録していき、再生表示時には前記波形データを表示手段に表示する波形表示装置において、
前記ヒストリーメモリに記憶された前記波形データのうち任意の波形データを複数回取り出して符号化し、この符号化されたデータを静止画として蓄積するエンコーダと、
前記エンコーダに蓄積された複数の静止画を基に動画ファイルを作成する動画生成手段と、
前記動画生成手段で生成された動画ファイルを記憶する記憶部と、
前記記憶部に記憶された動画ファイルを前記表示手段で表示する動画再生手段と
を備えたことを特徴とする波形表示装置。
【請求項３】
前記ヒストリーメモリに記憶された波形データのうち前記動画ファイルの作成に用いる任意の波形データを選択する指定手段を備えたことを特徴とする請求項２記載の波形表示装置。
【請求項４】
前記指定手段は、波形データのうち連続した一定の範囲を指定することを特徴とする請求項３記載の波形表示装置。
【請求項５】
前記指定手段は、波形データのうち任意の波形データを適宜選択して指定することを特徴とする請求項３記載の波形表示装置。
【請求項６】
前記動画生成手段は、前記エンコーダに蓄積された静止画を、ＭＰＥＧファイルを使用して動画ファイルを生成することを特徴とする請求項２記載の波形表示装置。
【発明の詳細な説明】
【技術分野】
【０００１】
本発明は、測定により得られた波形データをヒストリーメモリに記憶し、このヒストリーメモリに記憶された波形データから動画ファイルを作成して表示する波形表示装置に関し、特に、複数のヒストリー波形を同一の動画ファイルで保存することにより、異常波形の前後の様子を、外付けテレビモニタを使用しなくても簡単に把握できる波形表示装置に関する。
【背景技術】
【０００２】
波形測定装置は、温度、圧力、歪み抵抗値等の各種の物理量をそれぞれの用途に適した変換手段により電気信号に変換し、これらの電気信号の変化を表示画面上に波形で表示して物理量の変化を観測・測定できるようにした装置である。
【０００３】
近年、デジタルオシロスコープ等の波形表示装置は、メモリ長が非常に長くなり、半導体メモリ（ヒストリーメモリ）に加えてＨＤＤ（ハード・ディスク・ドライブ）を記憶手段として用意している。これらの記憶手段に波形データを直接記録することによって、例えば数ＧＢの記録が可能になる。このような波形表示装置の先行技術文献としては特許文献１のようなものがある。
【０００４】
【特許文献１】特開２０００―１８０４７６号公報
【０００５】
図５は従来における波形表示装置の構成例である。図５で、Ａ／Ｄ変換器１は、アクイジション動作で取得した測定データをＡ／Ｄ変換（アナログ・デジタル変換）する。データ処理手段２は、Ａ／Ｄ変換したデータを時系列的な信号変化を表す波形データに加工処理する。また、データ処理手段２は、Ａ／Ｄ変換したデータにオフセット調整等を行う。
【０００６】
ヒストリーメモリ３は、データ処理手段２で処理後の波形データを記録する。指定手段４は、例えばマウスやキーボード等からなり、ヒストリーメモリ３に記録した波形データの中で表示したい部分を指定する。指定の方法は、図６によるので後述する。
【０００７】
表示制御手段５は、波形データの生データを再生表示するときは、指定手段４で指定された波形データをヒストリーメモリ３から読み出し、読み出した波形データをそのまま表示手段６に表示させる。
【０００８】
図６はヒストリー波形例である。図６において、ヒストリー選択部１１は、図５のヒストリーメモリ３に記録した波形データの中で表示したい部分を指定する際に使用される。すなわち、ヒストリー選択部１１で保存したい波形データを選択して波形表示領域１２に表示する。また、波形表示領域１２に表示された波形データは、保存実行部１３を押して管面のイメージデータとしてＢＭＰ（Bit MaP）、ＪＰＥＧ（Joint Photographic Experts Group）形式で保存される。この動作を繰り返すことにより、例えば図７の管面のイメージデータ１４、１５が保存される。
【０００９】
次に、図５の動作について図８を参照して説明する。図８は図５の波形表示装置の動作手順を示したフローチャートである。図５において、測定データは、Ａ／Ｄ変換器１、データ処理手段２を介してヒストリーメモリ３に波形データとして記憶される（ステップＡ１）。指定手段４で指定された波形データは、表示制御手段５によってヒストリーメモリ３から読み出され、表示手段６に表示される（ステップＡ２）。そして、保存実行部１３を押して表示手段６に表示された波形データをＨＤＤ７に保存する（ステップＡ３）。
【発明の開示】
【発明が解決しようとする課題】
【００１０】
しかしながら従来の波形表示装置には以下のような問題点があった。すなわち、ヒストリーメモリ３に記憶された大量の波形データに対応する管面のイメージデータを保存する場合、ヒストリーメモリ３から波形データを取り出し、波形データを表示手段６に表示させた後に保存しなければならないため時間がかかる。
【００１１】
また、ＢＭＰ又はＪＰＥＧ形式で異常波形を保存しても、その異常波形の前後の様子を確認するには複数のファイルを開いていかないと確認できない。さらに、一度の測定で大量のイメージファイルを保存した場合、全部のイメージファイルを確認するには操作が煩雑である。
【００１２】
一方、これらの問題は、テレビモニタとデジタルオシロスコープをつないで必要な波形をビデオ録画することで回避できる。しかし、テレビモニタを別途用意するのは手間とコストが必要である。
【００１３】
本発明は、これらの問題点に鑑みてなされたものであり、複数のヒストリー波形を同一の動画ファイルで保存することにより、異常波形の前後の様子を、外付けテレビモニタを使用しなくても簡単に把握できる波形表示装置を提供することを目的とする。
【課題を解決するための手段】
【００１４】
このような課題を達成するために請求項１記載の発明は、
測定により得られた波形データをヒストリーメモリに記憶していき、再生表示時には前記波形データを表示手段に表示する波形表示装置において、
前記ヒストリーメモリに記憶された波形データから動画ファイルを作成して前記表示手段に表示する。
【００１５】
また、請求項２記載の発明は、
測定により得られた波形データをヒストリーメモリに記録していき、再生表示時には前記波形データを表示手段に表示する波形表示装置において、
前記ヒストリーメモリに記憶された前記波形データのうち任意の波形データを複数回取り出して符号化し、この符号化されたデータを静止画として蓄積するエンコーダと、
前記エンコーダに蓄積された複数の静止画を基に動画ファイルを作成する動画生成手段と、
前記動画生成手段で生成された動画ファイルを記憶する記憶部と、
前記記憶部に記憶された動画ファイルを前記表示手段で表示する動画再生手段と
を備える。
【００１６】
また、請求項３記載の発明は、請求項２記載の発明において、
前記ヒストリーメモリに記憶された波形データのうち前記動画ファイルの作成に用いる任意の波形データを選択する指定手段を備える。
【００１７】
また、請求項４記載の発明は、請求項３記載の発明において、
前記指定手段は、波形データのうち連続した一定の範囲を指定する。
【００１８】
また、請求項５記載の発明は、請求項３記載の発明において、
前記指定手段は、波形データのうち任意の波形データを適宜選択して指定する。
【００１９】
また、請求項６記載の発明は、請求項２記載の発明において、
前記動画生成手段は、前記エンコーダに蓄積された静止画を、ＭＰＥＧファイルを使用して動画ファイルを生成する。
【発明の効果】
【００２０】
本発明では、次のような効果がある。
ヒストリーメモリに記憶された波形データから動画ファイルを作成して表示手段に表示するので、異常波形の前後の様子を、外付けテレビモニタを使用しなくても簡単に把握できる。
【００２１】
また、複数記憶された波形データのうち特定の波形データを適宜選択して指定する指定手段を備えたので、ヒストリーメモリの容量に制限されず、動画ファイルを作成できる。
【発明を実施するための最良の形態】
【００２２】
以下、本発明の波形表示装置の構成例について図１を参照して説明するが、図５と同一の構成については同一の符号を付して説明を省略する。
【００２３】
制御手段２０は、ＣＰＵとその周辺機器で形成され、後述するエンコーダ２１に波形データを蓄積する動作を制御する他、動画生成手段２２、動画生成手段２４としての機能も備える。エンコーダ２１は、ヒストリーメモリ３に記憶された波形データを制御手段２０の制御に基づいて符号化し、静止画（ＢＭＰファイル等）として蓄積する。
【００２４】
動画生成手段２２は、エンコーダ２１に蓄積された静止画を用いてＭＰＥＧ（Moving Picture Experts Group）ファイル等の動画ファイルを生成する。ＨＤＤ２３は例えばハードディスク等からなる記憶部であり、動画生成手段２２が生成した動画ファイルを記憶する。動画再生手段２４は、ＨＤＤ２３に記憶された動画ファイルを、表示手段６を用いて再生する。
【００２５】
図２は動画ファイルの保存操作を説明する説明図であり、図１の指定手段４からの操作により以下の各項目が指定される。保存形式指定部３０では、保存するドライブ名、ファイル名、動画の保存形式を指定する。図２では、それぞれＺＩＰ、００００、ＭＰＥＧが指定されている。ヒストリー選択部３１は、ファイルに保存するヒストリーメモリ３に記憶された波形データの番号を選択する。なお、波形データの番号は連続する一定の範囲を指定しても、複数蓄積された波形データのうちの任意の波形データを指定しても差し支えない。
【００２６】
表示形式切替部３２は、表示形式を切り替えるボタンであり、選択すると図３の波形データ４０〜４３のように保存した動画ファイルのサムネイル表示を行うことができる。保存実行部３３は、保存形式選択部３０で保存形式が選択された動画ファイルを保存するボタンである。
【００２７】
次に、図１の動作について図２、図４を参照して説明する。ここで、図４は図１の波形表示装置の動作手順を示したフローチャートである。図１において、測定データは、Ａ／Ｄ変換器１、データ処理手段２を介してヒストリーメモリ３に波形データとして記憶される（ステップＢ１）。波形データは連続してＡ／Ｄ変換器１に入力されるので、ヒストリーメモリ３は複数の波形データを記憶する。
【００２８】
この波形データは、指定手段４を介して図２の保存形式指定部３０を操作することにより任意の波形データが選択され、制御部２０の制御によりヒストリーメモリ３から読み出され、エンコーダ２１に出力される（ステップＢ２）。エンコーダ２１に入力された波形データは、制御手段２０の制御に基づいて符号化され、静止画（ＢＭＰファイル等）として蓄積される（ステップＢ３）。ステップ２とステップ３の操作を複数回繰り返すことにより、複数の静止画がエンコーダ２１に蓄積される。
【００２９】
そして、エンコーダ２１に蓄積された複数の静止画は、動画生成手段２２によりＭＰＥＧファイル等の動画ファイルに変換される（ステップＢ４）。動画生成手段２２で生成された動画ファイルは、ＨＤＤ２３に記憶される（ステップＢ５）。ＨＤＤ２３に記憶された動画ファイルは、動画生成手段２４で再生されて、表示手段６に表示される（ステップＢ６）。
【００３０】
このように、ヒストリーメモリ３に記憶された波形データを動画生成手段２２で動画ファイルに変換し、表示手段６に表示するので、異常波形の前後の様子を、外付けテレビモニタを使用しなくても簡単に把握できる。また、複数記憶された波形データのうち特定の波形データを適宜選択して指定する指定手段４を備えたので、ヒストリーメモリの容量に制限されず、動画ファイルを作成できる。さらに、汎用的なファイル形式であるＭＰＥＧを利用することにより、パーソナルコンピュータに特殊なソフトウェアをインストールすることなく、異常波形の前後の様子について外付けテレビモニタを使用しなくても簡単に把握できる。
【００３１】
なお、本実施例では連続して入力される波形データをヒストリーメモリ３に複数蓄積する場合の動作を説明したが、以下のように行っても良い。すなわち、波形データがＡ／Ｄ変換器１に入力されるたびにヒストリーメモリ３は複数の波形データを記憶せず、直ぐにエンコーダ２１に対して当該波形データを出力し、ステップＢ２〜ステップＢ５の動作を行っても良い。そして、動画生成手段２２は、エンコーダ２１から入力された静止画をＨＤＤ２３に出力しないで廃棄し、自ら生成した動画ファイルのみをＨＤＤに出力しても良い。
【００３２】
一般に、ＨＤＤ２３の記憶容量はヒストリーメモリ３より十分大きいので、ヒストリーメモリ３に複数の波形データを蓄積しないで動画を生成すれば、ヒストリーメモリ３の容量に拘わらず、複数の動画ファイルをＨＤＤ２３に蓄積することができる。また、動画生成手段２２はＨＤＤ２３に対して、異常波形の前後の様子を確認するのに不要な静止画を出力せず、動画ファイルのみを出力するので、ＨＤＤ２３の記憶領域を無駄なく有効活用できる。
【図面の簡単な説明】
【００３３】
【図１】本発明による波形表示装置１００の構成例である。
【図２】本発明による動画ファイルの保存操作の説明図である。
【図３】波形データ４０〜４３がサムネイル表示されている様子を示す図である。
【図４】図１の波形表示装置の動作手順を示したフローチャートである。
【図５】従来における波形表示装置の構成例である。
【図６】ヒストリー波形例である。
【図７】表示手段６の管面のイメージデータ１４、１５を示す図である。
【図８】従来の波形表示装置の動作手順を示したフローチャートである。
【符号の説明】
【００３４】
３            ヒストリーメモリ
６            表示手段
２０          制御部
２１          エンコーダ
２２          動画生成手段
２３          ＨＤＤ
２４          動画再生手段  
【図１】
2006308317.tif 000003
【図２】
2006308317.tif 000004
【図３】
2006308317.tif 000005
【図４】
2006308317.tif 000006
【図５】
2006308317.tif 000007
【図６】
2006308317.tif 000008
【図７】
2006308317.tif 000009
【図８】
2006308317.tif 000010